(57)【要約】  パーソナルビデオレコーダ（ＰＶＲ）などのデジタル記憶装置上の映像の格納などの以降の許可された利用を制御する方法及び装置。アナログ映像信号には、例えば、水平帰線消去期間及び垂直帰線消去期間などの映像特性の少なくとも１つの調整が与えられ、アナログ映像信号の許容されるアナログ映像記録を実行することを禁止する機能を有するタイプのものである。このような調整の例は、周知の擬似同期（自動ゲイン制御）、カラーストライプ（カラーバースト調整）及び追加されたバックポーチパルスがあげられる。これらの調整の有無又は性質のパターンは、映像信号の付随するコンテンツが互換性を有するＰＶＲにおいてデジタル形式によりデジタル記録されることが許可されるか、記録が許可される場合、１日、１週間、１月などの記録が持続することが許可される期間など、デジタル領域での以降の許可される利用に関する情報を搬送するためのコードとして機能する。従って、アナログ映像信号の調整は、デジタル領域における映像の格納（複製）又は他の利用を制御するため、アナログ領域における記録の禁止と、アナログ映像インタフェースを介した情報の搬送の二重の利用を有する。
2007510321.tif 000002
【特許請求の範囲】
【請求項１】
アナログビデオ信号を符号化する方法であって、
コンテンツと該コンテンツの以降の利用の制御に関するデータとを含むデジタル映像信号を提供するステップと、
前記デジタル映像信号をアナログ映像信号に変換するステップと、
前記デジタル映像信号から前記データを抽出するステップと、
前記抽出されたデータに対応する符号化パターンを規定するため、前記抽出されたデータから前記アナログ映像信号の帰線消去期間において少なくとも１つの特性を調整する信号を生成するステップと、
前記アナログ映像信号を調整するため、前記生成された信号を利用するステップと、
を有することを特徴とする方法。
【請求項２】
請求項１記載の方法であって、
前記特性は２つあり、第１の特性は水平帰線消去期間におけるものであり、第２の特性は垂直帰線消去期間におけるものであることを特徴とする方法。
【請求項３】
請求項１記載の方法であって、
前記特性は、カラーバーストの位相、対にされたネガティブ及びポジティブゴーイングパルスの有無及び水平同期信号のバックポーチにおけるポジティブゴーイングパルスの有無からなるグループから選択されることを特徴とする方法。
【請求項４】
請求項３記載の方法であって、
前記カラーバーストの位相は、前記映像信号の２又は４本のスキャンラインの繰り返しパターンにおいて調整されることを特徴とする方法。
【請求項５】
請求項１記載の方法であって、
前記少なくとも１つの特性は、オフ状態、デジタル格納を許可する表示及び前記デジタル格納を許可する期間の表示を指定する符号化パターンを規定することを特徴とする方法。
【請求項６】
請求項１記載の方法であって、
前記少なくとも１つの特性は、以降のデジタル格納を許可する期間について示す符号化パターンを規定することを特徴とする方法。
【請求項７】
請求項１記載の方法であって、
前記利用するステップは、
前記映像信号をネットワークを介し送信するステップと、
前記映像信号をある解像度又は画質レベルにおいて表示するステップと、
前記映像信号をデジタル形式により格納するステップと、
前記映像信号を第１デジタル記憶装置から第２デジタル記憶装置に移動するステップと、
のうちの１つを含むことを特徴とする方法。
【請求項８】
請求項１記載の方法であって、
前記少なくとも１つの特性は、前記映像信号の垂直帰線消去期間の所定数の水平同期パルスのバックポーチに追加されるパルスであることを特徴とする方法。
【請求項９】
請求項８記載の方法であって、
前記所定数は、６未満であることを特徴とする方法。
【請求項１０】
請求項８記載の方法であって、
前記所定数は、許容されるアナログ記録を実行することを禁止するのに不十分であることを特徴とする方法。
【請求項１１】
請求項１０記載の方法であって、
前記所定数は、前記符号化パターンを規定することを特徴とする方法。
【請求項１２】
請求項８記載の方法であって、
前記所定数は、前記垂直帰線消去期間の垂直同期パルスの前後において０〜１５の範囲内に属することを特徴とする方法。
【請求項１３】
デジタル映像信号を受信するよう構成されるポートと、
前記デジタル映像信号を受信するよう前記ポートに接続されるデジタル・アナログ変換器と、
前記ポートに接続され、前記デジタル映像信号のコンテンツの以降の利用に関するデータを前記デジタル映像信号から抽出する抽出回路と、
前記抽出回路に接続され、前記抽出されたデータに応答して、前記アナログ映像信号の帰線消去期間の少なくとも１つの特性を調整する信号を生成する制御回路と、
前記デジタル・アナログ変換器の出力端末及び前記制御回路に接続され、符号化アナログ映像信号を提供する合成装置と、
を有する映像符号化装置であって、
前記調整された各特性は、前記映像信号の許容されるアナログ記録を実行することを禁止するタイプのものであることを特徴とする装置。
【請求項１４】
請求項１３記載の装置であって、
前記特性は２つあり、第１の特性は水平帰線消去期間におけるものであり、第２の特性は垂直帰線消去期間におけるものであることを特徴とする装置。
【請求項１５】
請求項１３記載の装置であって、
前記特性は、カラーバーストの位相、対にされたネガティブ及びポジティブゴーイングパルスの有無及び水平同期信号のバックポーチにおけるポジティブゴーイングパルスの有無からなるグループから選択されることを特徴とする装置。
【請求項１６】
請求項１５記載の装置であって、
前記カラーバーストの位相は、前記映像信号の２又は４本のスキャンラインの繰り返しパターンにおいて調整されることを特徴とする装置。
【請求項１７】
請求項１３記載の装置であって、
前記少なくとも１つの特性は、オフ状態、デジタル格納を許可する表示及び前記デジタル格納を許可する期間の表示を指定する符号化パターンを規定することを特徴とする装置。
【請求項１８】
請求項１３記載の装置であって、
前記少なくとも１つの特性は、以降のデジタル格納を許可する期間について示す符号化パターンを規定することを特徴とする装置。
【請求項１９】
請求項１３記載の装置であって、
前記少なくとも１つの特性は、前記映像信号の垂直帰線消去期間の所定数の水平同期パルスのバックポーチに追加されるパルスであることを特徴とする装置。
【請求項２０】
請求項１９記載の装置であって、
前記所定数は、６未満であることを特徴とする装置。
【請求項２１】
請求項１９記載の装置であって、
前記所定数は、許容されるアナログ記録を実行することを禁止するのに不十分であることを特徴とする装置。
【請求項２２】
請求項１９記載の装置であって、
前記所定数は、前記符号化パターンを規定することを特徴とする装置。
【請求項２３】
請求項１９記載の装置であって、
前記所定数は、前記垂直帰線消去期間の垂直同期パルスの前後において０〜１５の範囲内に属することを特徴とする装置。
【請求項２４】
映像信号を処理する方法であって、
アナログ映像信号の以降におけるデジタル利用に関するデータに対応する符号化パターンを規定するよう調整された帰線消去期間における少なくとも１つの特性を有するアナログ映像信号を受信するステップと、
前記特性を検出するステップと、
前記受信したアナログ映像信号をデジタル映像信号に変換するステップと、
前記デジタル映像信号の以降の利用を判断するため、前記検出された特性を利用するステップと、
を有し、
前記調整された特性はまた、前記映像信号の許容されるアナログ記録を実行することを禁止するタイプのものであることを特徴とする方法。
【請求項２５】
請求項２４記載の方法であって、
前記特性は２つあり、第１の特性は水平帰線消去期間におけるものであり、第２の特性は垂直帰線消去期間におけるものであることを特徴とする方法。
【請求項２６】
請求項２４記載の方法であって、
前記特性は、カラーバーストの位相、対にされたネガティブ及びポジティブゴーイングパルスの有無及び水平同期信号のバックポーチにおけるポジティブゴーイングパルスの有無からなるグループから選択されることを特徴とする方法。
【請求項２７】
請求項２６記載の方法であって、
前記カラーバーストの位相は、前記映像信号の２又は４本のスキャンラインの繰り返しパターンにおいて調整されることを特徴とする方法。
【請求項２８】
請求項２４記載の方法であって、
前記少なくとも１つの特性は、オフ状態、デジタル格納を許可する表示及び前記デジタル格納を許可する期間の表示を指定する符号化パターンを規定することを特徴とする方法。
【請求項２９】
請求項２４記載の方法であって、
前記少なくとも１つの特性は、以降のデジタル格納を許可する期間について示す符号化パターンを規定することを特徴とする方法。
【請求項３０】
請求項２４記載の方法であって、さらに、
前記デジタル映像信号を格納するステップを有することを特徴とする方法。
【請求項３１】
請求項３０記載の方法であって、さらに、
前記符号化パターンにより決定される時間の経過後、前記映像のさらなる利用を不可とし、又は前記格納されている映像を消去するステップを有することを特徴とする方法。
【請求項３２】
請求項３０記載の方法であって、さらに、
前記格納されているデジタル映像信号を出力アナログ映像信号に変換するステップと、
前記出力アナログ映像信号の特性を調整し、これにより、許容される映像信号記録を実行することを禁止するステップと、
を有することを特徴とする方法。
【請求項３３】
請求項２４記載の方法であって、
前記利用するステップは、
前記映像信号をネットワークを介し送信するステップと、
前記映像信号をある解像度又は画質レベルにおいて表示するステップと、
前記映像信号をデジタル形式により格納するステップと、
前記映像信号を第１デジタル記憶装置から第２デジタル記憶装置に移動するステップと、
のうちの１つを含むことを特徴とする方法。
【請求項３４】
請求項２４記載の方法であって、
前記少なくとも１つの特性は、前記映像信号の垂直帰線消去期間の所定数の水平同期パルスのバックポーチに追加されるパルスであることを特徴とする方法。
【請求項３５】
請求項３４記載の方法であって、
前記所定数は、６未満であることを特徴とする方法。
【請求項３６】
請求項３５記載の方法であって、
前記所定数は、許容されるアナログ記録を実行することを禁止するのに不十分であることを特徴とする方法。
【請求項３７】
請求項３５記載の方法であって、
前記所定数は、前記符号化パターンを規定することを特徴とする方法。
【請求項３８】
請求項３５記載の方法であって、
前記所定数は、前記垂直帰線消去期間の垂直同期パルスの前後において０〜１５の範囲内に属することを特徴とする方法。
【請求項３９】
アナログ映像信号を受信するよう構成されるポートと、
前記ポートに接続され、前記アナログ映像信号の帰線消去期間の少なくとも１つの特性の調整を検出する検出器と、
前記検出器の出力端末に接続され、前記調整された特性により規定される符号化パターンの検出に応答して、制御信号を提供する制御回路と、
前記アナログ映像信号を受信するポートに接続されるアナログ・デジタル変換器と、
前記アナログ・デジタル変換器の出力端末に接続される検出器と、
前記デコーダの出力端末に接続され、前記制御回路から前記制御信号を受信し、これにより、以降の利用を示すデータを含むデジタル映像信号を出力する合成装置と、
を有することを特徴とする映像復号化装置。
【請求項４０】
請求項３９記載の装置であって、
前記アナログ・デジタル変換器は、前記ポートと前記検出器の間に接続されることを特徴とする装置。
【請求項４１】
請求項４０記載の装置であって、
前記検出器は、前記アナログ映像信号をアナログ形式により受信するよう接続されることを特徴とする装置。
【請求項４２】
請求項３９記載の装置であって、さらに、
前記映像信号をデジタル形式により格納するよう接続される記憶装置を有することを特徴とする装置。
【請求項４３】
請求項３９記載の装置であって、
前記デコーダは、ＭＰＥＧデコーダであることを特徴とする装置。
【請求項４４】
請求項３９記載の装置であって、
前記特性は２つあり、第１の特性は水平帰線消去期間におけるものであり、第２の特性は垂直帰線消去期間におけるものであることを特徴とする装置。
【請求項４５】
請求項３９記載の装置であって、
前記特性は、カラーバーストの位相、対にされたネガティブ及びポジティブゴーイングパルスの有無及び水平同期信号のバックポーチにおけるポジティブゴーイングパルスの有無からなるグループから選択されることを特徴とする装置。
【請求項４６】
請求項４５記載の装置であって、
前記カラーバーストの位相は、前記映像信号の２又は４本のスキャンラインの繰り返しパターンにおいて調整されることを特徴とする装置。
【請求項４７】
請求項３９記載の装置であって、
前記少なくとも１つの特性は、オフ状態、デジタル格納を許可する表示及び前記デジタル格納を許可する期間の表示を指定する符号化パターンを規定することを特徴とする装置。
【請求項４８】
請求項３９記載の装置であって、
前記少なくとも１つの特性は、以降のデジタル格納を許可する期間について示す符号化パターンを規定することを特徴とする装置。
【請求項４９】
当該映像信号の以降の利用に関するデータに対応する符号化パターンを規定する少なくとも１つの調整された特性を当該映像信号の帰線消去期間に含む映像信号を有する記録内容を有する記録キャリアであって、
前記調整された特性は、前記映像信号の許容されるアナログ記録を実行することを禁止するタイプのものであることを特徴とする記録キャリア。
【請求項５０】
請求項４９記載の記録キャリアであって、
前記特性は２つあり、第１の特性は水平帰線消去期間におけるものであり、第２の特性は垂直帰線消去期間におけるものであることを特徴とする記録キャリア。
【請求項５１】
請求項４９記載の記録キャリアであって、
前記特性は、カラーバーストの位相、対にされたネガティブ及びポジティブゴーイングパルスの有無及び水平同期信号のバックポーチにおけるポジティブゴーイングパルスの有無からなるグループから選択されることを特徴とする記録キャリア。
【請求項５２】
請求項５１記載の記録キャリアであって、
前記カラーバーストの位相は、前記映像信号の２又は４本のスキャンラインの繰り返しパターンにおいて調整されることを特徴とする記録キャリア。
【請求項５３】
請求項４９記載の記録キャリアであって、
前記少なくとも１つの特性は、オフ状態、デジタル格納を許可する表示及び前記デジタル格納を許可する期間の表示を指定する符号化パターンを規定することを特徴とする記録キャリア。
【請求項５４】
請求項４９記載の記録キャリアであって、
前記少なくとも１つの特性は、以降のデジタル格納を許可する期間について示す符号化パターンを規定することを特徴とする記録キャリア。
【請求項５５】
請求項４９記載の記録キャリアであって、
当該記録キャリアは、前記調整された特性を示す複数のビットを搬送するビデオディスクであることを特徴とする記録キャリア。
【請求項５６】
請求項４９記載の記録キャリアであって、
前記少なくとも１つの特性は、前記映像信号の垂直帰線消去期間の所定数の水平同期パルスのバックポーチに追加されるパルスであることを特徴とする記録キャリア。
【請求項５７】
請求項５６記載の記録キャリアであって、
前記所定数は、６未満であることを特徴とする記録キャリア。
【請求項５８】
請求項５６記載の記録キャリアであって、
前記所定数は、許容されるアナログ記録を実行することを禁止するのに不十分であることを特徴とする記録キャリア。
【請求項５９】
請求項５６記載の記録キャリアであって、
前記所定数は、前記符号化パターンを規定することを特徴とする記録キャリア。
【請求項６０】
請求項５６記載の記録キャリアであって、
前記所定数は、前記垂直帰線消去期間の垂直同期パルスの前後において０〜１５の範囲内に属することを特徴とする記録キャリア。
【発明の詳細な説明】
【発明の詳細な説明】
【０００１】
［発明の技術分野］
本開示は、映像に関し、より詳細には映像コンテンツの使用の制御に関する。
［背景］
映像の複製禁止や複製制御などの映像の使用制御の技術的問題は周知である。これらは、典型的には、著作権管理された映画、テレビ番組又は他の映像マテリアルの権限のない複製を禁止又は阻止するための技術である。複製禁止の一例が、Ｒｙａｎによる米国特許第４，６３１，６０３号に開示されている。これは、テレビ受信機が調整された映像信号から通常のカラー画像を依然として提供できるようにアナログ映像信号が調整される一方、再生時にこの調整された映像信号のビデオテープの記録が、一般には受け入れられないテレビ画像を生成するというものである。このＡＧＣ方法は、特定のビデオカセットレコーダ（ＶＣＲ）の自動ゲイン制御システムは、従来の映像信号の通常の「同期」パルスと追加された「擬似同期」パルスとを区別することができない。Ｒｙａｎは、記録されたアナログ映像信号の再生中に受け入れられない画質となるように、垂直帰線消去期間においてポジティブゴーイング（自動ゲイン制御）パルスの対となる擬似パルス（ネガティブゴーイング）パルスを加えることを開示している。他のタイプの複製禁止（アナログ映像用）が、Ｒｙａｎによる米国特許第４，５７７，２１６号とＷｒｏｂｌｅｓｋｉらによる米国特許第６，５１６，１３２号に開示されている。Ｗｒｏｂｌｅｓｋｉでは、アクティブカラー映像（アナログ領域における）の各ライン上の垂直帰線消去期間に従来存在するカラーバーストがそれの位相に関して調整され、これにより、映像信号の移行のビデオテープの記録が、カラーエラーのストライプ又はバンドとして出現するカラー忠実性の望ましくない変化を示すという「カラーストライプ（ＣＳ）」プロセスと呼ばれるものが開示されている。
【０００２】
他のタイプのアナログ映像複製禁止は、Ｒｙａｎによる米国特許第４，８１９，０９８号に開示され、そこでは、ポジティブゴーイングパルスが通常出現する水平同期パルスのトレーリングエッジの直後に後続する映像信号に追加され、これにより、水平同期パルスのバックポーチリージョンに存在することとなるような「バックポーチパルス（ＢＰＰ）」プロセス又は調整とここでは呼ばれるものが開示されている。（これに関して、ポジティブゴーイングとは、水平同期パルスが、それらのバックポーチが映像信号のアクティブ映像部分の０ＩＲＥ単位の振幅のＮＴＳＣ−ＴＶにあり、それらの最低部分が約−３０ＩＲＥ単位の振幅まで下方拡張されることによりネガティブゴーイングとなる標準的な映像波形を表す。）バックポーチパルスは、典型的には、最大耐複製効果を実現するため、４マイクロ秒などの短い期間にアクティブ映像のピーク白色レベルとほぼ同じレベルの振幅を有する。このＢＰＰプロセスの１つの商用バージョンでは、各映像フレームにおいて、１５以下のこのようなパルスが、垂直同期ブロードパルスの前に（主として、垂直帰線消去期間ＶＢＩに）追加され、１５以下のこのようなパルスが、垂直同期ブロードパルスの後に追加される。（ＮＴＳＣ−ＴＶでは、ＶＢＩは、映像スキャンライン１〜２１まで拡がるが、バックポーチパルスは、画像のオーバースキャン部分のアクティブ映像に追加されてもよい。）ＢＰＰプロセスは、ＡＧＣ及びＣＳプロセスと同様に、ＮＴＳＣ、ＰＡＬ及びＳＥＣＡＭテレビと互換性を有する。
【０００３】
また、典型的には、透かしや他の符号化データが映像信号に含まれ、特別に適応されたビデオレコーダにより検出されるようなアナログ又はデジタル映像による使用に適した各種複製制御技術が周知である。透かしや符号化データを検出すると、ビデオレコーダは、複製を許可又は不可とする。いくつかのケースでは、これにより、世代的な（コピーワンスオンリーなど）複製制御が提供される。
【０００４】
しかしながら、例えば、アナログ映像が以降においてデジタル形式により記録（格納）されるとき、さらなる予防の問題が与えられる。これは、アナログ映像インタフェースと呼ばれる。例えば、映像分野においてＲｅｐｌａｙ  ＴＶやＴｉＶｏにより販売されるタイプのパーソナルビデオレコーダ（ＰＶＲ）と呼ばれるものに生ずる問題がある。これらのデジタル記憶装置（ハードディスクドライブを含む）は、テレビ放送、ケーブルテレビ又は他のアナログ映像信号のデジタル記録を可能にする。これらの装置のデジタル信号処理回路は、典型的には、帰線消去期間に存在する上述のアナログ複製禁止信号の何れかをストリップオフする。（同様に、多数のデジタルビデオレコーダは、帰線消去期間を記録しないということに留意されたい。）テレビ番組、映画などの著作権管理された映像マテリアルに関して、著作権所有者は、ＰＶＲや同様のタイプの装置を用いてこのような複製（格納）を制御又は禁止することを所望する。これに関して、ＰＶＲ装置は、上述のタイプの独立型のＰＶＲ装置だけでなく、例えば、テレビチューナーを有し（又は有しない）、これにより、各自のハードディスクドライブ又は他のタイプのデジタルストレージに入力信号を記録するのにＰＶＲと同様に機能しうるＤＶＤレコーダやパーソナルコンピュータなどもまた有することに留意されたい。
［概要］
上述のようなＡＧＣプロセス、ＣＳプロセス及びＢＰＰプロセスなどの少なくとも１つのアナログ領域複製禁止プロセスを利用して、パターンをアナログ映像信号に符号化する方法が開示される。本方法では、これらのアナログ信号には、上述の複製禁止タイプのプロセスが与えられ、さらに、これらの複製禁止プロセスは、ＰＶＲにおいてなど、映像信号の許可される以降のデジタル格納などの映像利用を制御するデータを搬送するのに用いられるパターンにより提供される。従って、ＡＧＣ、カラーストライプ及びＢＰＰ（又は他の同様の複製禁止プロセス）は、一部の実施例では、第１のアナログ領域における複製の禁止と、第２のデジタル領域に任意のインタフェースを介し搬送される映像信号のコードの実質的提供の二重の利用を有し、これにより、格納、再送又は他の利用など、どのタイプの以降のデジタル映像の利用が許可されているかを示すことができる。
【０００５】
この許可は、著作権所有者又は他の外部ソースなどにより決定され、関連する映像コンテンツの未承認の利用、格納、再送又は他の利用を禁止するためのものである。一実施例では、ＡＧＣとＣＳの各プロセスは、存在する（オン）か、又は存在しない（オフ）とされる。各々が２つの状態（存在するか、存在しないか）を有するこのような２つのプロセスがあるため、一実施例では、４つの状態が提供される。フレームごとに可変数の追加プラスを有するＢＰＰプロセスは、このような多数の状態を規定することができ、これにより、それ自体又はＡＧＣ及びＣＤと共に、複数の状態を規定することができる。各状態は、複製制御に関する符号化された意味を有する。例えば、第１の状態は、複製制御はなく、例えば、ＰＶＲへの格納が制限なしに許可されることを示す。
【０００６】
第２の状態は、格納が許可されていないことを示す。第３の状態は、時間数や日数等に関する格納期間を示す。第４の状態は、指定された期間のみにおいて格納が許可されることを示す。
【０００７】
この映像信号の符号化は、例えば、映像コンテンツを含むＤＶＤを製造する企業により提供され、又は例えば、ケーブル及び映像衛星加入者に提供されるタイプのセットトップボックスにおいてレンダリングされる。著作権所有者などによるＤＶＤオーサリング中、ＤＶＤディスクが以降の複製プロセス中にスタンプされる画像ファイルにおいて、特定のビットが設定される。その後、これらのビット（トリガービット）は、アナログ映像波形のＡＧＣ、ＣＳ及びＢＰＰ調整の何れの形式が行われるべきか決定するため、ＤＶＤディスクからＤＶＤプレーヤーにより読み出される。
【０００８】
対応する復号化プロセスにおいて、消費者に属するパーソナルコンピュータ又はＰＶＲなどは、入力アナログ映像信号において、複製禁止プロセスの有無及び性質と関連する符号化パターンを検出し、これにより、何れのタイプの格納が、ＰＶＲの付属のデジタルストレージにおいて、また１日、１週間、１月など、当該プログラムの格納期間に対して許可されているか判断する。このシステムと互換性を有するＰＶＲ、ＰＣ又はＤＶＤレコーダは、これらのＡＧＣ、ＣＳ及びＢＰＰ又は同様のプロセスを検出し、それらにより規定されるパターンを複製制御や著作権管理データと解釈する検出回路を有する。これは、ＰＶＲや類似の装置における適切な追加的ロジック処理機能を要求する。従って、本システムと互換性を有するＰＶＲ又は同様の装置は、従来利用可能なＰＶＲ又はパーソナルコンピュータとこの点に関して異なっている。
【０００９】
また、上述の符号化方法に従って調整された映像データを搬送する従来のデジタルビデオ（多用途）ディスク（ＤＶＤ）やビデオテープなどの記録キャリアが考えられる。従来、映像は、ＭＰＥＧ−２圧縮映像形式などによりＤＶＤに格納される。この圧縮は、冗長なデータ（映像帰線消去期間など）を削除する。しかしながら、圧縮映像が解凍され、デジタルからアナログへの変換のため提供されるとき、帰線消去情報が再構成される（圧縮データが、どのようにして画面上で水平及び垂直に最終的に表示されるべきかに関する情報を提供するため、少数のビットが使用される）。これらの「トリガー」ビットの有無に基づき、帰線消去期間は、通常の映像規格ごとに構成されるか、又は、ＡＧＣ／ＣＳ／ＢＰＰ調整ごとに構成される。その後、アナログ映像波形のデジタル表示は、アナログ映像信号を生成するため、デジタル・アナログ変換器に印加される。一例では、トリガービットは、ＤＶＤ上の各２ＫＢ（すなわち、セクタ）のデータ（圧縮された音声映像データ）に関するものである。２ＫＢは、１フレームの映像よりはるかに小さい。従って、所望の場合、ＤＶＤオーサリングプロセス中に行われるビット設定を通じて、迅速に制御するように各フレームの実際の波形を変更するのに十分なＤＶＤのトリガービットの解像度が存在する。
【００１０】
格納（記録を含む）を制御するのに加えて、本符号化方法の他の例となる利用は、（１）宅内又は公衆ネットワークを介し他の家庭となど、ネットワークを介した映像コンテンツの送信制御、（２）ある解像度又は画質レベルによるコンテンツのレンダリング制御、及び（３）ネットワークの他のデジタル記憶装置への映像の以降の移動の制御、である。
［詳細な説明］
図１は、ＡＧＣプロセスとＣＳプロセスを利用したここで開示されるようなアナログプロテクションシステム（ＡＰＳ）の各状態を表形式により示す。（「ＡＰＳ」は、映像分野において一般的に使用される用語である。）この場合、０〜３と番号付けされた４つのＡＰＳ状態が左側の列に示される。各状態は、アナログ映像信号の特性についてのカラーストライプ（ＣＳ）の調整及び上述の擬似同期（ＡＧＣ）の有無に対応する。（この例は、ＢＰＰ調整を利用していない。）状態０に対して示されるように、ＡＧＣとＣＳの何れもが、存在しない「オフ」となっている。従って、この状態は、調整のないＮＴＳＣやＰＡＬタイプなどの標準的な映像信号である。この場合、従来の映像に当てはまるように、ＰＶＲの無制限な格納（複製）が許可される。ＡＧＣがオンであり、ＣＳがオフであることに対応する状態１は、ＰＶＲが映像を格納することが可能な格納時間（期間）を設定していることを示す。これについては、以下においてさらに説明される。
【００１１】
ＡＧＣがオンであり（存在し）、２ラインＣＳプロセス（後述される）の存在に対応する状態２は、以下でさらに説明されるように、映像を格納（複製許可）しないことを示す。
【００１２】
ＡＧＣがオンであり（存在し）、ＣＳ４ラインプロセスがオン（存在）することに対応する状態３は、ある番組に対して９０分の格納時間を準備したことに対応する。
【００１３】
さらなる詳細では、何れかの映像分野において、カラーストライププロセスが、当該カラーストライププロセスが存在しないＮ本の連続するスキャンラインに先行するＮ本の連続するスキャンラインに存在するように、既知のカラーストライププロセスが典型的には与えられる。この２ラインパターンが繰り返される。これは、Ｎ＝２又は４の値を用いた大部分の米国（ＮＴＳＣ−ＴＶ）ＶＣＲ及びテレビ装置による複製禁止に対して効果的な満足いく商用の実現形態であることがわかっている。もちろん、これは一例であり、限定的なものではない。従って本開示のため、２つのタイプのカラーストライププロセスが説明される。１つは、ＣＳを有する２本の連続する映像スキャンラインに先行するＣＳを有する２本の連続する映像スキャンラインを有する２ラインＣＳプロセスである。４ラインＣＳプロセスは、ＣＳのある４本の映像スキャンラインと、ＣＳのない４本の映像スキャンラインを有する。
【００１４】
図１は、各状態が１つの制御情報を伝える４つの状態を規定する。従って、ここでは、符号化パターンを規定し、これにより、関連する映像プログラムの移行の格納（デジタル領域による）の制御に関するデータを搬送するため、複製禁止方法（ＡＧＣやＣＳなど）が利用される。
【００１５】
これらのＡＰＳ状態がどのように利用されるかに関するさらなる詳細は、図２Ａに示される。一例では、ＡＧＣプロセスの以前の商用の実現形態に基づき、図２Ａの各行に示されるＡＰＳシーケンスの各デジットを確認するには、３分間の映像再生を要する。従って、映像信号に適用された符号化（３つのデジットの）を一意的に特定するには９分かかる。従って、（ＡＰＳの状態２が検出されなくなってから）最初の９分間については格納が許可され、９分後には、コンテンツの各ユニットがＰＶＲのハードディスクドライブにどのくらい時間存続しうるか決定されることとなる。従って、許可された使用（格納）が決定されたコンテンツ（番組など）のユニットは９分であり、その後、符号化により当該ユニットが持続可能な期間（例えば、３６時間、１週間、１月など）が通知される。９０分の格納時間とＡＰＳシーケンス「３３３３３３．．．」を示す図２Ａの先頭の行を参照されたい。ＡＰＳにチューニングされ、これにより常にＡＰＳコード「３３３３３３」を出力することによりすでに市販されているＤＶＤビデオディスクが存在する。この符号化により、これらのディスクからのコンテンツは、（新たに）準拠するＰＶＲ上で９０分まで格納することができる。
【００１６】
図２Ａにおいて、図１の４つのＡＰＳ状態が、さらなる情報を搬送するようシーケンス状に合成される。図２Ａの第２行では、３６時間の映像プログラムが格納されていることが意図される。従って、ＡＰＳシーケンスは、格納を許可することを示すＡＰＳ状態３から始まる。従って、本例において許可された格納時間は、９０分間のブロック内である。図２Ａの第２行の以降の数字は、本例では３６時間である、当該格納が持続される時間を示すコードである。（図１に示されるような状態２が格納しないことを示して以来、当該シーケンスからのＡＰＳ状態２がないことに留意されたい。）図２Ａにおいて、行２の以降の符号化「１０３１０」などは、格納期間が設定され、本ケースでは３６時間まで９０分のブロックにより持続することを示す。（３６時間は、２４個の９０分のブロックである。）図２の次の行は、格納が１週間持続する場合、ＡＰＳシーケンスがシーケンス「１３１３１」に先行する３などであることを示す。図２に示されるような他のコードは、１月又は６月の格納の持続に対して与えられる。ここで、９０分の格納時間の使用は、他の例において変更可能なパラメータであるということに留意されたい。
【００１７】
図１及び２Ａの特定の符号化、パラメータ及び値は、単なる一例である。ここでの目的は、本ケースでは、映像の特定の使用が限定又は制御されるべきであるということである。権利所有者（著作権所有者）の全体的な目的は、デジタル記録を行う者がその記録を無限に閲覧することを可能にすることを所有者が所望しないなど、使用を制御することである。権利所有者は、記録へのアクセス（又はそれの実際の存在）がある時点で終了されることを所望する。一実施例では、この時点は（追加）料金を支払うことにより、又は他の交換機構により決定又は延長されるようにしてもよい。しかしながら一般には、１つの目的は、従来のＰＶＲにおいて現在利用可能であるような記録と異なり、特定のプログラム又は映画の記録（格納）が無限の期間を有さず、特定回数の視聴のみを許可するよう比較的短期間で終了するということである。このシステムは、視聴回数を実際に計数し、これに応じてユーザに課金する従来のデジタル著作権管理（ＤＲＭ）システムと共に利用可能であるということは理解されるであろう。
【００１８】
ＡＰＳの格納制御の他の実施例は、図１と同様に、状態１に制限なしに格納が許可され、すなわち、ここでのＰＶＲのケースでは、無料で特定の映画／プログラムの格納が利用可能であるという意味を割り当てる。言い換えると、格納の制限がない。しかしながらこの他の実施例では、ＡＰＳ状態１は、完全なＡＰＳシーケンスが決定される時点まで、９０分の格納を許可することに対応する。何者かが当該シーケンスを介しデコーダと映像信号を接続する場合、当該シーケンスを決定するのに依然として９分間かかり、すなわち、当該シーケンスは常に「３」から始まるとは限らず、図２Ａの行１では、コード「１０３１０３」は依然として３６時間と区別することができる。また、セキュアデジタル接続への再送は提供されない。（以下の図６Ａ〜６Ｅに関する説明を参照されたい。）当該他の実施例におけるＡＰＳ状態２は、格納を無限に許可することに対応するが、再生中のセキュアデジタル接続への再送は許可されない。当該他の実施例におけるＡＰＳ状態３は、セキュアデジタル接続への再送により、９０分間などのＰＶＲのハードディスクドライブへの格納を許可する。以降の符号化は、当該プログラムのトータル３６時間の格納時間などを与えるため、９０分間の格納の増分がどれくらい許可されるか示すのに提供される（図２Ａと同様に）。
【００１９】
図１のＡＰＳ状態０は、ここで説明されるような複製／格納制御を有しない従来の映像プログラムを収容する場合に限って提供されることに留意されたい。
【００２０】
格納制御の符号かスキームのさらなる他の例は、やや複雑である。この第３の例は、当該プログラムに対して許可される９０分のユニットなどのトータルの格納期間ユニットのユニット数の符号化表示を映像信号の何れかから検出するための表示としてのポインタとして、図１のＡＰＳ状態３（例えば、ＡＧＣがオンであり、カラーストライプ４ラインなど）を使用する。例えば、この符号化表示の１つの位置は、現在はテレテキストサービスに割り当てられているが、符号化された値の使用を許可するＮＴＳＣ映像のスキャンライン２１〜２２である。格納期間ユニットの符号化されたユニット数を配置するための他の場所は、当該ユニット数を含む透かし内である。典型的には、この数は、格納が持続することが許可される時間ユニット数（例えば、９０分など）、時間数又は日数の表示である。
【００２１】
他の意味が、権利所有者などにより決定されるような各種方法により格納などの利用を制御する図１の符号化に与えられてもよいということは理解されるであろう。関連する再生装置（ＰＶＲなど）は、その内部回路及びソフトウェアに関して符号化と互換性を有しなければならない。従って、すべてのＰＶＲ又は等価な装置が、有用な市販の実現形態に対して互換性を有するように、図１／２Ａのタイプのコードの産業規格（権利所有者やＰＶＲなどのメーカーにより採用される）が存在することが望ましい。
【００２２】
ＢＰＰプロセスは、ＡＧＣプロセスとＣＳプロセスと共に又はそれ自体により、符号化された制御情報を同様にして搬送することができる。ＢＰＰプロセスは、（上述のように）一実施例では、各映像フレームに０〜３０のバックポーチパルスを追加することが可能であるため、ＡＧＣプロセス又はＣＳプロセスより多くの情報を搬送することができる（バックポーチパルスが、垂直帰線消去期間にあると制限されるが、垂直同期パルスの前後の何れにも配置されると仮定すると）。このような３０の追加されたパルスを使用することは、ＡＧＣ又はＣＳプロセスに全く頼ることなく、各フレームに８ビットの符号化データを規定する。ＢＰＰプロセスは、カラー（クロミナンス）領域ではなくルミナンス（Ｙコンポーネント）領域において映像信号に対する処理を行う。一実施例では、そのような１つのバックポーチパルスが、垂直同期パルスの前後何れにおいても、垂直帰線消去期間の垂直（同期）同期パルスの選択された１つのパックポーチに追加される。各フレームの追加されたバックポーチパルスの個数は、映像の使用を制御するための符号化されたデータを規定する。（もちろん、ＶＢＩの各水平同期パルスごとに、１つのバックポーチパルスのみが追加される場合、これは、垂直同期パルス前のそのような追加されたパルスの個数をフレームごとに６に制限する。）
ここで、ＢＰＰ調整を映像信号に制御可能に追加する回路を有する映像エンコーダが、現在市販されており、このような映像エンコーダは、Ｒｙａｎによる米国特許第４，８１９，０９８号の譲受人であるＭａｃｒｏｖｉｓｉｏｎ  Ｃｏｒｐ．からライセンスされている。少数のバックポーチパルス（各フレームに合計およそ６未満など）の使用が、アナログ領域においては低い複製禁止効果しか有しないことがわかっている。通常、これは望ましくないが、ここでのＢＰＰ効果は、意図される場合には、以降のアナログ領域の複製に対して最小効果又は効果なく符号化された情報を搬送することができる。同様に、ＢＰＰ調整は一般に、ＡＧＣやＣＳプロセスより正当なアナログ領域のコピーの再生可能性に対して望ましい効果を有する。
【００２３】
図２Ｂは、ＢＰＰ調整を利用し、これにより、本実施例ではその大部分が使用されない多数の追加的なＡＰＳ状態を提供する図１の符号化スキームの変形を示す。追加的な状態が利用可能になることにより、使用制御はより高度なものとなる。図２Ｂはまた、これらの状態が、ＮＴＳＣ及びＰＡＬ  ＴＶにおいて異なる意味を有するよう規定することができることを示す。図示されるように、図１と同様に、ＡＰＳ状態０について、複製（格納）が予約なしに許可される。ＮＴＳＣ  ＴＶの状態１については、エントリ「ＴＳ（３０／２４ｈ）は、一時的な格納が３０日間だけ許可されるが、再生は、準拠した再生装置により２４時間の視聴ウィンドウに限定されることを意味する。ＮＴＳＣ  ＴＶの状態２については、「Ｂｕｆｆｅｒ（９０）」は、９０分間の格納が許可される（図１の状態３と同様に）ことを意味する。図２Ｂの状態３については、「ｃｏｐｙ  ｎｅｖｅｒ」は、図１の状態２の「ｄｏ  ｎｏｔ  ｓｔｏｒｅ」と同じである。状態６〜３９及び４４〜７５はリザーブされている。その他の使用制御エントリはそれぞれ以下を意味する。（ここでの「ドメイン」とは、以下に示されるセキュアネットワークなどを表す。）
ＣＯＧ：格納存続に関する制限なしの一世代のみの複製
ＣＯＧＨＤ：格納存続が許可されていない一世代のみの複製
ＭＡＤ：認証されたドメイン内部で許可される移動（転送）
ＣＡＤ：認証されたドメイン内部で許可される複製
ＢＰＰ調整について、「６ｐｒｅ」とは、６つのバックポーチパルスが追加されたプレ垂直同期パルスを意味し、同様に、「０ｐｒｅ」とは、バックポーチパルスが追加されていないプレ垂直同期を意味し、「０：６」とは、０〜６のバックポーチパルスが追加されていることを意味する。同様に、「０ｐｏ」とは、バックポーチパルスが追加されたポスト垂直同期ではないことを意味し、「１ｐｏ」とは、１つのバックポーチパルスが、追加されたポスト垂直同期であることを意味する。
【００２４】
図２Ｂにおいて、状態０〜５及び４０〜４３のすべてにおいて、６未満のバックポーチパルスが各フレームに追加されるため、ＡＧＣ及びＣＳ調整によるＡＰＳ状態０〜５はアナログ複製を制限（禁止）し、状態４０〜４３は制限しないということに留意されたい。ここでは、追加されたバックポーチパルスは、カラーバースト（標準的なカラーバースト又はＣＳ）とは干渉しない。なぜなら、典型的には、ＢＰＰ調整は、映像ルマ（Ｙ）コンポーネントのみが存在し、従って、カラーバーストが存在しないＶＢＩにおいて使用されるためである。
【００２５】
従って、本発明によると、ＡＧＣ、ＣＳ、ＢＰＰ又は同様のプロセスの少なくとも１つにより、映像信号の符号化のための時間可変的な制御信号を搬送するビデオテープのデジタルビデオディスク（ＤＶＤ）などの記録キャリアが考えられる。上述のように、この時間可変的とは、０，１，２，３など（すなわち、００，０１，１０，１１）のＡＰＳ状態の値を搬送することが可能なＤＶＤトリガービットが、ＤＶＤビデオディスクの各セクタにおいて異なる値に設定可能であることを意味する。
【００２６】
図３Ａは、本開示によるエンコーダ８のブロック図を示す。（図３Ａ及び装置を図示する他の図面は、当該分野において従来からあるようなＲＦビデオではなくベースバンドに対する処理を示すことが意図されるということは理解されるべきである。）エンコーダ８は、ＡＰＳデータを搬送するＡＧＣ、ＣＳ及びＢＰＰ調整を有するアナログ映像により、本開示による入力デジタル映像をアナログ映像に変換する装置である。一例として、エンコーダ８は、ユーザにより使用されるテレビセットトップボックス、又はインターネットを介し映像を受信するパーソナルコンピュータに設けられる。セットトップボックスは、典型的には、デジタルケーブルテレビ又はデジタル衛星テレビを受信している。これにより、エンコーダ８は、出力端末４０を介しアナログ映像のローカル符号化を提供する。デジタル入力映像は、入力端末１０において受信される。一実施例では、このデジタル映像は、ヘッドエンドから送信されるようなデジタル映像に各プログラムの制御フィールドを含める。このタイプの制御フィールドは、デジタル著作権管理などのための制御情報を提供するのに周知であり、この場合はまた、特定の映像プログラムが格納許可されているか、そしてどのくらいの期間格納が許可されているかに関する複製制御データを搬送する。
【００２７】
端末１０のデジタル映像入力は、ＭＰＥＧフォーマット映像を従来のデジタル・アナログ変換器１６に送信する従来のＭＰＥＧデコーダ１２に接続される、抽出装置２０は、この制御フィールドを抽出し、特にそれから複製制御データを抽出する。デジタル領域におけるこの複製制御データの正確なフォーマットは、任意の適切な形式をとり得るが、もちろん、コンテンツプロバイダ（又は、ケーブル／衛星システムヘッドエンド）により通常採用され、エンコーダ８により理解可能な規格である必要がある。その後、抽出装置２０により抽出されるようなデジタル複製制御データは、デジタル複製制御データを格納し、図２Ａ又は２Ｂなどに示される適切なＡＰＳシーケンスを当該データから生成するためのメモリを有する複製制御メモリ／フォーマッタ２４に提供される。例えば、複製（格納）が自由に許可される場合、生成されるＡＰＳシーケンスは、図１に示されるようなもの、すなわち実質的には、ＡＧＣがなく、カラーストライプがなく、ＢＰＰがいくらか又はないものである。他方、格納制限がある場合、生成されるＡＰＳシーケンスは、ＡＰＳが提供され、ＣＳが４ラインプロセスとなることを意味するＡＰＳ状態３から始まる図２Ａに示されるものの１つとなる。制御データはまた、図２に示されるように、本ケースでは格納期間を有する。従って、図２Ａ（又は図２Ｂの状態）のＡＰＳシーケンスの１つは、ＡＰＳシーケンスを復号し、それを用いて（アナログ）ＡＧＣ生成装置２８、カラーストライプ生成装置３０及びＢＰＰ生成装置３３を関連する加算器３２、３４及び３５によりオン／オフにするロジック２４にデジタル形式により伝えられる。ＡＧＣ又はＣＳ調整のないＢＰＰ調整の追加は（６以下などの各フレームに追加される比較的少数のバックポーチパルスにより）、下流の準拠したデジタルメディア記録装置に権限（符号化データなど）を伝えながら、以降のＶＨＳ（アナログ領域）映像を許可する。ＡＧＣ調整、カラーストライプ調整及びバックポーチパルス調整をそれぞれブロック２８、３０及び３３に提供する（アナログ）回路が、Ｒｙａｎによる米国特許第４，６３１，６０３号の図２、第４，５７７，２１６号の図１及び第４，８１９，０９８号の図４に示される。
【００２８】
もちろん、これらＡＧＣ、ＣＳ及びＢＰＰ生成装置の他の実施例もまた知られており、一部の実施例では、これらはデジタル領域で機能し、このため、ＡＧＣ、ＣＳ及びＢＰＰ調整は、変換器１６の上流に挿入される。図３Ｂは、デジタル・アナログ変換器１６の上流に接続され、デジタル的に実現されるＡＧＣ生成装置２９、ＣＳ生成装置３１及びＢＰＰ生成装置３９を有する図３Ａのエンコーダ８に類似したエンコーダ９の他の例を示す。ここでは、ＢＰＰ生成装置は、図示されるような８ビット以下のデータを加算器（合成装置）３５に提供する。生成装置２９、３１及び３９をデジタル的に実現することは、当業者の技術範囲内のものである。このＡＧＣ、ＣＳ及びＢＰＰ生成装置のデジタル的な実現は、以降において変換器１６によりアナログ形式に変換される、ＡＧＣパルス、カラーバースト及びバックポーチパルスのデジタル表現をサンプルごとに生成する。生成装置２９、３１及び３９のデジタル実現は、ＩＣ（集積回路）において容易に実現される。
【００２９】
適切なエンコーダは、ＡＧＣ、ＣＳ及びＢＰＰ調整のすべての提供する必要はなく、これは設計選択事項であり、同様のことが対応するデコーダについても言える。図３Ａ又は３Ｂのエンコーダは、集積回路などの多くの形式をとり得るものであり、実際にセットトップボックスなどの他の回路と組み合わされてもよいということは理解されるであろう。また、エンコーダの機能は、プロセッサにより実行されるソフトウェアにより実現されてもよい。従って、図３Ａ及び３Ｂのエンコーダの出力ポート（端末）４０は、以降の格納の制御を提供するため、所望のＡＧＣ、ＣＳ及びＢＰＰ調整を含むアナログ映像を出力する。その後、このアナログ信号は、例えば、テレビ装置、ＰＶＲ、ＶＣＲ又はＤＶＤレコーダなどへの入力に適したものとなる。
【００３０】
本開示によるシステムにおいて、図３Ａ又は３Ｂのエンコーダが設けられなくともよいということは理解されるべきである。例えば、映像がＤＶＤを介し配布される場合、符号化プロセスは、ＤＶＤ製造又はマスタリング工場において行われ、典型的には、アナログ映像をＤＶＤに出力する必要はないため、図３Ａ又は３Ｂのタイプの装置を必ずしも必要としない。
【００３１】
図４Ａ及び４Ｂは、本開示によるビデオキャプチャカードを搭載するパーソナルコンピュータ、ＤＶＤレコーダ又はＰＶＲなどに使用するのに適した２つの両立するデコーダ４２と４４を示す。これらのデコーダは、大きくは等価であるが、図４Ａのデコーダ４２はアナログ領域においてより多くの機能を実行し、図４Ｂのデコーダは、デジタル領域においてより多くの機能を実行する。ＰＶＲは、ケーブル／衛星テレビセットトップボックスに合成されてもよく、この場合、図４Ａ／４Ｂのエンコーダはまた、このようなセットトップボックスに合成されてもよい。
【００３２】
図４Ａにおいて、図１及び２のＡＰＳシーケンスによりすでに符号化されているアナログ映像信号が、それの入力ポート５０を介しエンコーダ４２に提供される。このアナログ映像は、例えば、コンポジット又はコンポーネント映像である。再び、ＲＦチューニングは図４Ａのエンコーダには設けられないため、典型的には、上記映像はベースバンド映像である。何れか必要とされるＲＦチューニングが、上流に設けられるが、それは図示されない。その後、このアナログ映像は、ルマ（Ｙ）セパレータ５１を介しＡＧＣ検出器５２、カラーストライプ（ＣＳ）検出器５４及びＢＰＰ検出器５１に適用される。ＡＧＣ検出器５２の具体例は、参照することによりここに含まれるＱｕａｎによる米国特許第６，４２１，４９７号の図４に示されている。他のタイプのＡＧＣ検出もまた利用可能である。（ＡＧＣ検出器５２は、それのブロック１４を除いてＱｕａｎの図４の検出器のすべての要素を有する。）ＡＧＣ検出器５２は、入力アナログ映像内のＡＧＣ調整の存在の表示を出力する。この表示は、例えば、ＡＧＣパルスがあるスキャンライン上に存在する場合、その出力が論理「１」（ｙｅｓ）となり、存在しないことは論理「０」（ｎｏ）により示されるなど、図示されるようなｙｅｓ／ｎｏ（論理「１」／「０」）に関するものであってもよい。
【００３３】
カラーストライプ検出器５４の一例が、参照することによりここに含まれるＢｒｉｌｌらによる米国特許第６，６００，８７３号の図３に示される。（Ｂｒｉｌｌの図３のカラーストライプ検出器はまた、ここでは不要でなるスイッチ４６を有する。）カラーストライプ検出器の他の例が、参照することによりここに含まれるＱｕａｎらによる米国特許第５，７８４，５２３号の図３に示される。（Ｑｕａｎらの図３のカラーストライプ検出器は、ここでは不要な調整回路２２を有する。）また、カラーストライプ検出器５４は、２ライン及び４ラインカラーストライププロセスを検出し、これらを区別することが必要である。Ｑｕａｎらによる米国特許第５，７８４，５２３号の図３に示されるように、カラーストライプ一メモリは、一度に少なくとも５本の映像スキャンラインを追跡する。このため、カラーストライプ検出器５４は、２ラインカラーストライプ又は４ラインカラーストライプ又はカラーストライプの有無を示す。
【００３４】
アナログ又はデジタル領域の何れにおいて動作する場合であっても、カラーストライプ検出器は、Ｎ＋１本の連続するラインのカラーバーストの位置を決定する。それは、これらＮ＋１本の連続するライン内においてカラーバーストの位置（位相）のずれが存在するか判断する。例えば、それが２ライン（Ｎ＝２）検出器である場合、それは３本の連続する水平スキャンラインを比較する。それが４ライン（Ｎ＝４）検出器である場合、それは５本の連続する水平スキャンラインを比較する。これらＮ＋１本のラインのすべてが、カラーバーストに関して一致する場合、カラーストライププロセスは存在しない。しかしながら、ずれは、特定の映像スキャンライン群にカラーストライププロセスが存在することを示す。図２のＡＰＳシーケンスは、典型的には、すべてのフレームに対して最も速く変化する。しかしながら、実際には３分ごとに変化する可能性がある（ＮＴＳＣ  ＴＶの９０フレームごと）。
【００３５】
Ｑｕａｎによる米国特許第６，４２１，４９７号（参照することによりそのすべてがここに含まれる）の図４に示されるタイミングパラメータに対する通常の調整がある場合、検出器５５と同様に適切なＢＰＰ検出が実現される。
【００３６】
その後、ＡＧＣ検出器５２、カラーストライプ検出器５４及びバックポーチパルス検出器５５からの出力信号が、一実施例では、検出器５２及び５４からの入力信号に応じて、与えられたフレームのアナログ信号がＡＰＳ状態の何れか一を示しているか判断する、制御回路、マイクロプロセッサ又は配線ロジックなどのロジック６０に印加される。ロジック６０はまた、ＡＰＳシーケンスを決定するため、フレームシーケンスのＡＰＳ状態を集計する。すべての映像は、ここで開示されるような符号化方法を利用せず、従来技術と同様に状態０がデフォルト状態となる上記状態の少なくとも１つとなることが仮定される。ＢＰＰ検出器５５は、一実施例では、８ビット検出信号をロジック６０に提供する。
【００３７】
これに応答して、ロジック６０は、この場合には、記録（格納）が許可されるか否か、許可される場合には、図２Ａ又は２Ｂに示されるタイプの記録に関する期間制限が存在するか否かを示すデータを搬送するＭＰＥＧにおいて知られているタイプの「プライベート」（デジタル）データストリームをフォーマット処理し、出力する。このプライベートデータストリーム部分は、任意の有用なフォーマットを有するが、もちろん、システムの他の要素と互換性を備えている必要があり、このため、合意されている規格となる。プライベートデータストリームは、ＭＰＥＧ−２映像エレメンタリを有するＭＰＥＧ−２プログラム（ユーザデータ）ストリーム及び音声データストリームにより多重化される従来のＭＰＥＧプライベートデータストリームとすることができる。あるいは、プライベートデータストリームは、ＭＰＥＧ−２プログラムストリームとは独立のデータ構造である。
【００３８】
ポート５０における入力アナログ映像がまた、従来の映像デコーダ６５に接続され、その後、従来のＭＰＥＧエンコーダ６６によりＭＰＥＧ−２フォーマットに符号化されるデジタル映像を出力するアナログ・デジタル変換器６４と接続される。従来、映像デコーダ６５は、１つのストリームとして入力されるコンポジット映像信号（カラーバースト及び同期パルスを含む）を、ルミナンス（Ｙ）とも呼ばれるルマと２つのカラー（クロミナンス）差分信号（Ｒ−Ｙ）及び（Ｂ−Ｙ）の３つのストリームに分離する。従来、その後、これら３つの信号のすべては、個別にＭＰＥＧ−２圧縮され、最終的なＭＰＥＧ−２映像ストリームに多重化される。その後、このＭＰＥＧ映像コンテンツは、求められる複製制御データを含むＭＰＥＧ映像（デジタル映像）を出力端末７２において提供するため、合成装置６８においてロジック６０からのプライベートデータストリームと合成される。もちろん再び、何れか準拠するＰＶＲ、ＤＶＤレコーダ又はパーソナルコンピュータがさらに、以降の格納を制限するため、この複製制御データを解釈するロジック又は回路（ここには図示されないが、後述される）を有する。
【００３９】
図４Ｂは、図４Ａのものとほとんどの点において類似し、同じ参照番号の同様の要素を有するデコーダ４４の他の例を示す。しかしながら、図４Ｂでは、ＡＧＣ、カラーストライプ及びバックポーチパルス信号の検出は、デジタル領域において実行される。従って、図４Ｂは、アナログＡＧＣ検出器５２、アナログカラーストライプ検出器５４及びバックポーチ検出器５５を有するのではなく、代わりにデジタルＡＧＣ検出器７８、デジタルカラーストライプ検出器８０及び（デジタル）ルマセパレータ７９を介し接続されるデジタルバックポーチパルス検出器８１を有する。しかしながら、これらがデジタル回路（又は本開示に基づき容易に構成されるソフトウェア）により実現されるという事実を除いて、それらは、アナログ検出器５２、５４及び５５と同様にそれぞれ機能する。
【００４０】
上述の図４Ａ及び４Ｂのエンコーダは、典型的には、ＰＶＲ、ＤＶＤレコーダ又はパーソナルコンピュータなどの同様の装置に搭載される。上述のように、そのようなエンコーダは、ＡＧＣ、ＣＳ及びＢＰＰ検出器のすべてを有する必要はない。当該回路は、上記装置の他の回路と同一のＩＣ（集積回路）上にあってもよいし、あるいは、独立のＩＣ上にあってもよい。これらのエンコーダの機能は、回路ではなくソフトウェアにより実行されてもよい。求められる機能を実行するため、ソフトウェアが回路にどのように置換されるかということは、当業者により容易に理解される。
【００４１】
図５は、本開示によるパーソナルビデオレコーダの一例のブロック図である。テレビチューナーやユーザインタフェースなどのＰＶＲの多数の従来の要素は、省略される。これらは、当該分野では周知であるような従来技術によるものである。理解するのに必要な要素のみが図示される。図５示される要素の多くは、図４Ｂなどに示されるものと同一であり、同様にラベル付けされ、ここではさらなる説明はされない。図５に示される要素は（典型的には、従来のＰＶＲにも存在する）、例えば、ＭＰＥＧなどに従ってユーザデータを圧縮する映像圧縮回路８６である。その後、圧縮された映像は（プライベートデータストリームと共に）、暗号化装置８８により暗号化される。このような暗号化は、当該分野では従来技術である。典型的には、暗号鍵は各ＰＶＲ装置に一意的なものであり、このため、ハードディスクドライブ９０に格納される記録されたＰＶＲマテリアルは、同一モデル及びメーカーからの他のＰＶＲに移植することはできない。従って、暗号化は、当該ＰＶＲ装置への記録を「拘束」する。
【００４２】
もちろん、図５のＰＶＲもまた再生機能を有する。それ以外のものは従来技術によるものであるため、再生回路の関連する要素のみが示される。再生が所望されるとき、従来、ユーザは何れのプログラムを視聴することを所望するか選択していた。この時点で、記録制御が再生となる。一実施例では、ＰＶＲのプロセッサ（図示せず）は、当該プログラムに関するＡＰＳコードシーケンスにより表されるように、当該プログラムの格納期限が経過すると、各プログラムに対して記録をメモリ（それのハードディスクドライブなど）に維持する。この期限は、別に格納されているテーブルに保持されてもよいし、又はストレージの各プログラムに添付されてもよい。期限が到来すると、プロセッサは、ハードディスクドライブ９０から当該プログラムを消去又は上書きする。他の実施例では、暗号化回路８８により暗号化（及び以降の解読）に用いられるキーに同様の期限が割り当てられ、当該期限後、このキーはもはや利用不可とされ、キーがないことにより解読が不成功にされる。この場合、ハードディスクドライブ９０からアクセス不可なプログラムを以降において消去又は上書きするステップが以降において設けられる。
【００４３】
ハードディスク９０から読み出された暗号化されたデータ（プログラム）は、暗号に用いられたものと同一のキーを利用して（期限切れでない場合）解読装置９４により解読される。解読されたプログラムは、当該映像を解凍し、格納されているＭＰＥＧ映像をデジタル・アナログ変換器９６によりアナログ形式に変換されるデジタル形式に変換する映像エンコーダ９６に提供される。これと同時に、プログラムの解読されたプライベートストリーム部分が抽出され（例えば、図示されないＰＶＲプロセッサにより）、格納制御データがＡＧＣ／カラーストライプ／バックポーチパルス生成装置９８に伝えられる。プライベートストリームデータは、プライベートストリームデータの一部であり、生成装置９８を制御するのに利用されるＡＰＳシーケンスに従って、ＡＧＣ、カラーストライプ及びバックポーチパルスの有無及び性質を示す。適切な（アナログ回路）ＡＧＣ、ＣＳ及びＢＰＰ生成装置の例が、上述されたように、Ｒｙａｎによる米国特許第４，６３１，６０２号の図２、第４，５７７，２１６号の図１及び２、及び第４，８１９，０９８号の図４にそれぞれ示される。その後、結果として得られるＡＧＣ、ＣＳ及びＢＰＰ調整（ここでは、デジタル領域で生成されているが、それに限定されるものではない）は、デジタル・アナログ変換器１０２に伝えられ、もとの入力映像アナログにより与えられるものと同一の（又は調整された）ＡＧＣ、カラーストライプ及びバックポーチパルス調整によるアナログ映像として出力されるデジタル映像コンテンツに合成装置１００において合成される。ＰＶＲから再生中に挿入されるＡＧＣ、ＣＳ及びＢＰＰ調整は、もとの映像に対する符号化と異なっている可能性がある。ほとんどの例では（世代的複製制御に対する）、格納を許可するものとして当初符号化されたコンテンツは、以降の格納が許可されていないことを示す図１のＡＰＳ状態２により符号化される。
【００４４】
図５のＰＶＲを利用して、様々な再生の選択肢が利用可能である。１つの選択肢では、映像が、ＡＧＣ、カラーストライプ又はバックポーチパルスプロセスを行うことなく、当該分野において標準的な未調整映像として出力される。第２の選択肢では（図５に示される）、出力アナログ映像は、入力ＡＧＣ／ＣＳ／ＢＰＰ調整の複製を含む。第２のものの変形である他の選択肢では、出力映像は、例えば、複製許可から不可に、又は時間Ｔに対して許可された複製及び格納が時間Ｔ−ｄに変更されるなど、ＡＰＳ状態を変更するよう調整される。例えば一実施例では、許可された格納期間は、入力アナログ映像より出力アナログ映像に対して短くされる。
【００４５】
図６Ａ〜６Ｄは、格納制御以外の他の目的についての本発明による符号化方法の利用を示す。例えば、他の１つの利用は、図２ＡのＡＰＳシーケンスの１つを用いて、付随する映像コンテンツをセキュアデジタルネットワーク（インターネットなど）を介し転送（移動）するための許可が、付与又は禁止されていることを示す。より長いＡＰＳシーケンスは、例えば、最大で１２までの他の利用の制御を可能にする。図６Ａは、これを示し、図４Ｂ及び５のものと類似したいくつかの要素（ブロック）を有するが、異なって構成されるシステムを示す。図６Ａの左上部分は、図４Ｂ及び５のものと類似しているが、暗号化装置８８からの暗号化された映像は、スイッチ１１０を介しＴＣＰ（Ｔｒａｎｓｍｉｓｓｉｏｎ  Ｃｏｎｔｒｏｌ  Ｐｒｏｔｏｃｏｌ）フォーマッタ１１２と接続され、ライン１１４を介しロジック６０により制御されるスイッチ１１０は、ＴＣＰ／ＩＰ（Ｉｎｔｅｒｎｅｔ  Ｐｒｏｔｏｃｏｌ）を介した送信が、検出されたＡＰＳシーケンスに応じて許可又は禁止されるか制御する。
【００４６】
図６Ａの下流の要素は、ＩＰフォーマッタ１１８と物理的レイヤ（イーサネット（登録商標）など）フォーマッタ１２０を有する。あるいは、ＴＣＰフォーマッタ１１２はＵＤＰ（Ｕｓｅｒ  Ｄａｔａｇｒａｍ  Ｐｒｏｔｏｃｏｌ）と置換され、イーサネット（登録商標）フォーマッタ１２０は無線イーサネット（登録商標）、ＵＳＢ（Ｕｎｉｖｅｒｓａｌ  Ｓｅｒｉａｌ  Ｂｕｓ）又はＩＥＥＥ１３９４規格通信用に構成されたフォーマッタと置換される。従来、フォーマッタ１２０は、インターネット及び／又は受信エンドのホームネットワーク１２４を介し、イーサネット（登録商標）デフォーマッタ１２８、ＩＰデフォーマッタ１３０及びＴＣＰデフォーマッタ１３２と接続されている。１１０〜１３２のすべての要素は、従来技術によるものである。
【００４７】
図６Ｂ〜６Ｄは、同様にラベル付けされた同様の要素を有するＡＰＳ符号化方法の各種制御使用のための図６Ａのシステムの変形を示す。図６Ｂは、受信エンド（図の右下）における出力映像が、コンポジット／コンポーネントアナログ映像であるレンダリング使用を制御するため構成されるシステムを示す。この場合、解像度映像低減回路１３２は、画素数に関してある画像解像度又は画質レベルを提供するため、映像エンコーダ６６の上流に接続される。
【００４８】
図６Ｃは、出力において、ＶＧＡ、ＸＶＧＡ又はＳＶＧＡタイプのコンピュータタイプアナログコンポーネント映像が提供されるということを除いて、図６Ｂと類似している。図６Ｂと同様に、赤色（Ｒ）、緑色（Ｇ）、青色（Ｂ）及び同期アナログ映像出力信号を提供する４つのデジタル・アナログ変換器１３８〜１４４を駆動するＲＧＢ映像フォーマッタ１３６に接続される解像度低減回路１３２が存在する。
【００４９】
図６Ｄは、フラットパネルディスプレイを駆動するのに用いられるＤＶＩ規格に準拠するなど、デジタル映像を出力するよう構成される図６Ｃの変形である。ここで、ＲＧＢ映像フォーマッタ１３６は、フラットパネルディスプレイ物理的インタフェース１５２を駆動するデジタル映像（ＤＶＩなど）インタフェース１５０と接続される。
【００５０】
本開示は、例示的なものであり、限定的なものではなく、本開示に基づきさらなる調整が当業者には明らかである。例えば、アナログタイプとしてここで開示される回路は、デジタルにより実現されてもよいし、その反対もいえる。また、ここで回路要素として示される要素は、適切なプロセッサにより実行されるソフトウェアとして実現されてもよく、このようなソフトウェアの符号化は、本開示に基づき当業者の技術の範囲内であろう。
【図面の簡単な説明】
【００５１】
【図１】図１は、ＡＧＣ及びＣＳプロセスを利用した本開示による映像使用の４つの制御状態を示すテーブルである。
【図２Ａ】図２Ａは、格納制御のため本開示によるコードシーケンスの表形式による具体例を示す。
【図２Ｂ】図２Ｂは、ＡＧＣ、ＣＳ及びＢＰＰプロセスを利用した表形式によりコード制御状態を示す。
【図３Ａ】図３Ａは、本発明の符号化プロセスを実行するパーソナルコンピュータ又はセットトップボックスに存在するタイプのエンコーダのブロック図である。
【図３Ｂ】図３Ｂは、第１エンコーダのブロック図である。
【図４Ａ】図４Ａは、ＰＶＲ、ＤＶＤレコーダ又はパーソナルコンピュータなどにおいて利用されるデコーダのブロック図である。
【図４Ｂ】図４Ｂは、図４Ａと同様のデコーダの他の例である。
【図５】図５は、図４Ａのタイプのデコーダと共にパーソナルビデオレコーダのブロック図である。
【図６Ａ】図６Ａは、映像のインターネット送信のための本発明によるシステムの利用を示す。
【図６Ｂ】図６Ｂは、映像のインターネット送信のための本発明によるシステムの利用を示す。
【図６Ｃ】図６Ｃは、映像のインターネット送信のための本発明によるシステムの利用を示す。
【図６Ｄ】図６Ｄは、映像のインターネット送信のための本発明によるシステムの利用を示す。
【図１】
2007510321.tif 000003
【図２Ａ】
2007510321.tif 000004
【図２Ｂ】
2007510321.tif 000005
【図３Ａ】
2007510321.tif 000006
【図３Ｂ】
2007510321.tif 000007
【図４Ａ】
2007510321.tif 000008
【図４Ｂ】
2007510321.tif 000009
【図５】
2007510321.tif 000010
【図６Ａ】
2007510321.tif 000011
【図６Ｂ】
2007510321.tif 000012
【図６Ｃ】
2007510321.tif 000013
【図６Ｄ】
2007510321.tif 000014
【国際調査報告】
2007510321.tif 000015
2007510321.tif 000016
2007510321.tif 000017
2007510321.tif 000018